(57)【特許請求の範囲】
【請求項１】
ベルトコンベヤであって、
前記ベルトコンベヤに備えられる少なくとも２つのプーリーのまわりを回転可能なベルトのエンドレスループであって、それにより、前記ベルトのさまざまな部分が運転中に商品を搬送するための上面を構成する、エンドレスループと、
少なくとも２つのプーリーを保持するフレームと、
ベルト支持装置であって前記ベルトが当該ベルト支持装置上を摺動できるように前記少なくとも２つのプーリーの間で前記ベルトを支持するように構成されたベルト支持装置と、
前記ベルトコンベヤの少なくとも１つの長辺に部分的に沿って設けられた少なくとも１つの保持装置と、
を備え、
前記ベルトは、当該ベルトの長さに沿って実質的に平らな中央部と、前記中央部の両側に設けられた２つの縁部領域と、を備え、少なくとも、前記縁部領域の少なくとも１つが前記ベルトの上面の一部を構成するときに、前記少なくとも１つの縁部領域は、前記エンドレスループにおける前記ベルトの反対部分に向かって傾斜し、
前記少なくとも１つの保持装置が、前記フレームに接続されて前記ベルト支持装置を保持するように構成され、前記保持装置が、前記ベルト支持装置の外側の前記少なくとも１つの縁部領域を前記ベルト支持装置とは異なる高さで支持するように構成され、前記ベルトの少なくとも１つの傾斜縁部を提供する、
ベルトコンベヤ。
【請求項２】
前記ベルトの前記縁部領域の少なくとも１つは、少なくとも、当該縁部領域の少なくとも１つが前記ベルトの上面の一部を構成するときに、前記ベルトコンベヤの長辺に沿って前記ベルトの丸みを帯びた縁部を形成する、請求項１に記載のベルトコンベヤ。
【請求項３】
前記ベルトの前記縁部領域は、前記エンドレスループにおける前記ベルトの反対部分に向かって内側に延びるように構成されたベルト位置決め装置をそれぞれ備え、前記ベルト位置決め装置は、前記ベルト支持装置の幅のすぐ外側、または前記ベルトを所定の位置に保持するための前記ベルト支持装置の案内要素に設けられるように構成される、請求項１または２に記載のベルトコンベヤ。
【請求項４】
前記少なくとも１つの保持装置は、前記ベルト支持装置に接続された第１部分であって、前記少なくとも１つの縁部領域が前記ベルトの前記上面の一部を構成するときに当該少なくとも１つの縁部領域を支持するように構成された第１部分と、前記第１部分に接続されると共に前記フレームに接続される第２部分であって、前記少なくとも１つの縁部領域が前記ベルトの前記上面の一部でないときに当該少なくとも１つの縁部領域を支持するように構成される第２部分と、を備える、請求項１に記載のベルトコンベヤ。
【請求項５】
前記第１部分が、前記ベルトのベルト位置決め装置の方向制御のための案内要素を備える、請求項４に記載のベルトコンベヤ。
【請求項６】
前記ベルト支持装置が、前記ベルトの少なくとも１つのベルト位置決め装置の方向制御のための少なくとも１つの案内要素を備え、前記ベルト支持装置は、前記案内要素を備えた外側縁部部分であって、前記ベルト支持装置の残余の部分と異なる高さで前記ベルトの対応する外側縁部の支持を提供する外側縁部部分を備え、前記ベルトの少なくとも１つの傾斜縁部を提供する、請求項１から５のいずれか１項に記載のベルトコンベヤ。
【請求項７】
前記ベルトコンベヤは、前記ベルトコンベヤの少なくとも１つの長辺に部分的に沿って設けられた保持装置の外側に、前記ベルトコンベヤの幅方向に突出する部分を有さず、前記少なくとも１つの保持装置は、前記フレームに接続され、前記ベルト支持装置を保持するように構成されている、請求項１から６の何れか１項に記載のベルトコンベヤ。
【請求項８】
請求項１から７のいずれか１項に記載された少なくとも２つのベルトコンベヤを備えたベルトコンベヤシステムであって、前記少なくとも２つのベルトコンベヤが、互いに向かって傾斜した縁部領域と並んで配置され、前記ベルトコンベヤシステムの組み合わされた上面を提供する、ベルトコンベヤシステム。
【請求項９】
請求項７に記載のベルトコンベヤシステムを備えたボックステンプレート製造システムであって、前記ベルトコンベヤシステムが、ボックステンプレートが前記ボックステンプレート製造システムから送られる方向を横切る方向における当該ベルトコンベヤシステムでのボックステンプレートの輸送のために前記ボックステンプレート製造システムからの出口に設けられている、ボックステンプレート製造システム。
【請求項１０】
フレームと、
前記フレームの第１端部に隣接して配置された第１のプーリーと、
前記フレームの第２端部に隣接して配置された第２のプーリーと、
前記第１および第２のプーリーのまわりに巻かれて回転可能であるエンドレスベルトであって、前記第１および第２のプーリーの間に延在する対向する側面を有し、前記第１および第２のプーリーのまわりを回転するときに前記エンドレスベルトのさまざまな部分が上面を構成するようになっており、前記上面は、実質的に平らな中央部と、前記対向する側面に隣接する２つの縁部領域と、を備え、前記２つの縁部領域の少なくとも１つの縁部領域は前記エンドレスベルトの内部に向かって少なくとも部分的に角度が付けられる、エンドレスベルトと、
ベルト支持装置と、
前記角度が付けられた配置で前記少なくとも１つの縁部領域を保持するように構成された保持装置であって、前記ベルト支持装置の外側の前記少なくとも１つの縁部領域を前記ベルト支持装置とは異なる高さで支持するように構成され、前記角度が付けられた配置で前記少なくとも１つの傾斜縁部を提供する、保持装置と、
を備えるベルトコンベヤ。
【請求項１１】
前記支持装置は、前記エンドレスベルトがベルト支持装置上を滑ることを可能にして前記第１および第２のプーリーの間の前記エンドレスベルトを支持するように構成される請求項１０に記載のベルトコンベヤ。
【請求項１２】
前記保持装置は、前記ベルト支持装置を越えて横方向に延在する、請求項１１に記載のベルトコンベヤ。
【請求項１３】
前記保持装置は、前記ベルト支持装置に接続されている、請求項１１に記載のベルトコンベヤ。
【請求項１４】
前記保持装置は、前記エンドレスベルトの前記内部から前記少なくとも１つの縁部領域を支持するように構成される、請求項１０から１３のいずれか１項に記載のベルトコンベヤ。
【請求項１５】
前記エンドレスベルトは、前記エンドレスベルトの前記内部に向かって延在するベルト位置決め装置をさらに備える、請求項１０から１４のいずれか１項に記載のベルトコンベヤ。
【請求項１６】
前記保持装置は、前記ベルト位置決め装置と相互作用して回転中に前記エンドレスベルトを案内するように構成された案内要素を備える請求項１５に記載のベルトコンベヤ。
【請求項１７】
ボックスブランクを形成するように構成されたボックス製造機と、
前記ボックス製造機の出口に隣接して配置されるように構成されたベルトコンベヤシステムであって、前記ベルトコンベヤシステムは２つ以上のベルトコンベヤを備え、前記２つ以上のベルトコンベヤは、第１の方向に回転する一対のプーリーに取り付けられたエンドレスベルトを有し、各ベルトコンベヤのエンドレスベルトは、実質的に平らな中央部と少なくとも部分的に前記エンドレスベルトの内部に向かって角度が付けられた少なくとも１つの縁部領域とを備え、前記少なくとも１つの縁部領域は前記ベルトコンベヤの側面に沿って延在し、前記２つ以上のベルトコンベヤの前記少なくとも１つの縁部領域は、前記２つ以上のベルトコンベヤの側面が互いに隣接するように配置されたときに、前記２つ以上のベルトコンベヤの前記エンドレスベルトによって形成される組み合わされた上面に凹部を形成するように協調する、ベルトコンベヤシステムと、
を備えるボックステンプレート製造システム。
【請求項１８】
ベルトコンベヤであって、
前記ベルトコンベヤに備えられる少なくとも２つのプーリーのまわりを回転可能なベルトのエンドレスループであって、それにより、前記ベルトのさまざまな部分が運転中に商品を搬送するための上面を構成する、エンドレスループと、
少なくとも２つのプーリーを保持するフレームと、
ベルト支持装置であって前記ベルトが当該ベルト支持装置上を摺動できるように前記少なくとも２つのプーリーの間で前記ベルトを支持するように構成されたベルト支持装置と、
を備え、
前記ベルトは、当該ベルトの長さに沿って実質的に平らな中央部と、前記中央部の両側に設けられた２つの縁部領域と、を備え、少なくとも、前記縁部領域の少なくとも１つが前記ベルトの上面の一部を構成するときに、前記少なくとも１つの縁部領域は、前記エンドレスループにおける前記ベルトの反対部分に向かって傾斜し、
前記ベルト支持装置が、前記ベルトの少なくとも１つのベルト位置決め装置の方向制御のための少なくとも１つの案内要素を備え、前記ベルト支持装置は、前記案内要素を備えた外側縁部部分であって、前記ベルト支持装置の残余の部分と異なる高さで前記ベルトの対応する外側縁部の支持を提供する外側縁部部分を備え、前記ベルトの少なくとも１つの傾斜縁部を提供する、
ベルトコンベヤ。
【請求項１９】
ベルトコンベヤであって、
前記ベルトコンベヤに備えられる少なくとも２つのプーリーのまわりを回転可能なベルトのエンドレスループであって、それにより、前記ベルトのさまざまな部分が運転中に商品を搬送するための上面を構成する、エンドレスループと、
少なくとも２つのプーリーを保持するフレームと、
ベルト支持装置であって前記ベルトが当該ベルト支持装置上を摺動できるように前記少なくとも２つのプーリーの間で前記ベルトを支持するように構成されたベルト支持装置と、
を備え、
前記ベルトは、当該ベルトの長さに沿って実質的に平らな中央部と、前記中央部の両側に設けられた２つの縁部領域と、を備え、少なくとも、前記縁部領域の少なくとも１つが前記ベルトの上面の一部を構成するときに、前記少なくとも１つの縁部領域は、前記エンドレスループにおける前記ベルトの反対部分に向かって傾斜し、
前記ベルトコンベヤは、前記ベルトコンベヤの少なくとも１つの長辺に部分的に沿って設けられた保持装置の外側に、前記ベルトコンベヤの幅方向に突出する部分を有さず、前記少なくとも１つの保持装置は、前記フレームに接続され、前記ベルト支持装置を保持するように構成され、
前記ベルトコンベヤシステムが、ボックステンプレートが前記ボックステンプレート製造システムから送られる方向を横切る方向における当該ベルトコンベヤシステムでのボックステンプレートの輸送のために前記ボックステンプレート製造システムからの出口に設けられている、
ベルトコンベヤ。
【発明の詳細な説明】
【技術分野】
【０００１】
本発明は、ベルトコンベヤ、ベルトコンベヤシステム、およびボックステンプレート製造システムに関する。
【背景技術】
【０００２】
ベルトコンベヤは、商品の輸送に一般的に使用される。さまざまなサイズのベルトコンベヤが利用可能である。しかし、大型のベルトコンベヤは高価で且つ取り扱いが難しい。
【発明の概要】
【課題を解決するための手段】
【０００３】
本発明の目的は、改良された、より柔軟なベルトコンベヤを提供することである。
これは、独立請求項に記載のベルトコンベヤおよびベルトコンベヤシステムによって達成される。
【０００４】
本発明の一態様では、ベルトコンベヤであって、前記ベルトコンベヤに備えられる少なくとも２つのプーリーのまわりを回転するベルトのエンドレスループを備え、それにより、前記ベルトのさまざまな部分が運転中に商品を搬送するための上面を構成し、前記ベルトコンベヤは、少なくとも２つのプーリーを保持するフレームと、ベルト支持装置であって前記ベルトが当該ベルト支持装置上を摺動できるように前記少なくとも２つのプーリーの間で前記ベルトを支持するように構成されたベルト支持装置と、をさらに備え、前記ベルトは、当該ベルトの長さに沿って実質的に平らな中央部と、前記中央部の両側に設けられた２つの縁部領域と、を備え、少なくとも、前記少なくとも１つの縁部領域が前記ベルトの上面の一部を構成するときに、前記縁部領域の少なくとも１つは、前記エンドレスループにおける前記ベルトの反対部分に向かって傾斜する、ベルトコンベヤが提供される。
【０００５】
本発明の別の態様では、本発明による少なくとも２つのベルトコンベヤを備えたベルトコンベヤシステムであって、前記少なくとも２つのベルトコンベヤが、互いに向かって傾斜した縁部領域と並んで配置され、前記ベルトコンベヤシステムの組み合わされた上面を提供する、ベルトコンベヤシステムが提供される。
【０００６】
これにより、単一の大きなベルトコンベヤを使用する代わりに、本発明による２つ以上のベルトコンベヤを並べて提供し、組み合わせた大きな上面を提供することができる。小型のベルトコンベヤは、はるかに安価で取り扱いが簡単である。さらに、各ベルトコンベヤのベルトの少なくとも１つの縁部領域が傾斜しているため、これらの傾斜した縁部領域は、ベルトコンベヤシステムにおいて互いに向かって提供される。これにより、隣り合って設けられた２つのベルトコンベヤ間で商品が通過するときに生じ得る問題を回避することができる。ボックステンプレート製造機などの一部の用途では、コンベヤベルトで搬送される商品は、初めに機械からコンベヤベルト上にベルトコンベヤ搬送方向の横方向から供給され得る。商品がベルトコンベヤの間に引っ掛かると、たとえば、商品がベルトの下やベルトの端に引っ掛かると、問題が発生する可能性がある。これは、ボックステンプレート製造機の場合のように、商品がベルトコンベヤ上で横方向に前後に押されるときに特に問題になる可能性がある。ボックステンプレートは、ベルトコンベヤに送り出されるときに切断され、ベルトコンベヤは、ボックステンプレートを搬送するためにベルトコンベヤが起動される前の切断手順中にボックステンプレートのサポートとして使用される。本発明によるベルトコンベヤの傾斜した縁部領域により、ボックステンプレートの部分が２つのベルトコンベヤの間のベルトの下またはベルトの縁部に引っ掛かるリスクなしに、本発明による２つ以上のベルトコンベヤを備えるベルトコンベヤシステム上でボックステンプレートを横方向に前後に搬送することができる。後者を回避する他の手段は、多くの場合、縁部の上に薄いガイドプレートが追加されることを意味する。ただし、その場合、コンベヤの非駆動セクションが導入され、回転やスリップなど、搬送に失敗する可能性がある。示されたソリューションは、商品が引っ掛かる原因となる要素がない完全に駆動される大きな上面を確立する方法を提供し、小さなコンベヤセクションの製造と取り扱いを可能にする。これにより、より標準化されたコンベヤソリューションとコンポーネントを使用できるようになり、品質とコストのより高い効率を保証する。幅の狭いベルトは、非常に幅の広いベルトに比べて製造がはるかに効率的であるだけでなく、フレームやサポートプレートなどの他のコンポーネントと共に、プーリーおよびモーターを大幅に小型化できる。複数の小型モーターは、より効率的な設計およびより効率的な電力消費を可能にするだけでなく、より安全なソリューションも提供する。幅の広いベルトは、比例的に多くの摩擦損失を生み出す。これにより、より強力なモーターが必要となる共により多くの摩耗を生じさせる。さらに、幅の広いベルトを使用することのマイナスの副作用は、ソリューションが負荷の異常な変化に簡単に反応しないことである。人間がコンベヤに乗る場合、小さなモーターで走行する小さなコンベヤは動きを開始できないが、大きな力は怪我を引き起こす可能性がある。
【０００７】
このソリューションは、包装材料を搬送する前述の例で特に有利であるが、他のタイプの商品を確実に運ぶことについても、特に商品がコンベヤの側面から供給または押し込まれる場合に有益である。
【０００８】
これにより、本発明の一態様では、本発明によるベルトコンベヤシステムを備えるボックステンプレート製造システムであって、前記ベルトコンベヤシステムが、前記ボックステンプレートが前記ボックステンプレート製造システムから送られる方向を横切る方向における当該ベルトシステムでのボックステンプレートの輸送のために前記ボックステンプレート製造システムからの出口に設けられている、ボックステンプレート製造システムが提供される。
【０００９】
本発明の一実施形態では、前記ベルトの前記縁部領域の少なくとも１つは、少なくとも、当該縁部領域の少なくとも１つが前記ベルトの上面の一部を構成するときに、前記ベルトコンベヤの長辺に沿って前記ベルトの丸みを帯びた縁部を形成する。
【００１０】
本発明の一実施形態では、前記ベルトの前記縁部領域は、前記エンドレスループにおける前記ベルトの反対部分に向かって内側に延びるように構成されたベルト位置決め装置をそれぞれ備え、前記ベルト位置決め装置は、前記ベルト支持装置の幅のすぐ外側、または前記ベルトを所定の位置に保持するための前記ベルト支持装置の案内要素に設けられるように構成される。
【００１１】
本発明の一実施形態では、前記ベルトコンベヤの少なくとも１つの長辺に部分的に沿って設けられた少なくとも１つの保持装置をさらに備え、前記少なくとも１つの保持装置が前記フレームに接続されて前記ベルト支持装置を保持するように構成される。
【００１２】
本発明の一実施形態では、前記保持装置が、前記ベルト支持装置の外側の前記少なくとも１つの縁部領域を前記ベルト支持装置とは異なる高さで支持するように構成され、前記ベルトの少なくとも１つの傾斜縁部を提供する。
【００１３】
本発明の一実施形態では、前記少なくとも１つの保持装置は、前記ベルト支持装置に接続された第１部分であって、前記少なくとも１つの縁部領域が前記ベルトの前記上面の一部を構成するときに当該少なくとも１つの縁部領域を支持するように構成された第１部分と、前記第１部分に接続されると共に前記フレームに接続される第２部分であって、前記少なくとも１つの縁部領域が前記ベルトの前記上面の一部でないときに当該少なくとも１つの縁部領域を支持するように構成される第２部分と、を備える。
【００１４】
本発明の一実施形態では、前記第１部分が、前記ベルトのベルト位置決め装置の方向制御のための案内要素を備える。
【００１５】
本発明の別の実施形態では、前記ベルト支持装置が、前記ベルトの少なくとも１つのベルト位置決め装置の方向制御のための少なくとも１つの案内要素を備え、前記ベルト支持装置は、前記案内要素を備えた外側縁部部分であって、前記ベルト支持装置の残余の部分と異なる高さで前記ベルトの対応する外側縁部の支持を提供する外側縁部部分を備え、前記ベルトの少なくとも１つの傾斜縁部を提供する。
【００１６】
本発明の一実施形態では、前記ベルトコンベヤは、前記ベルトコンベヤの少なくとも１つの長辺に部分的に沿って設けられた保持装置の外側に、前記コンベヤベルトの幅方向に突出する部分を有さず、前記少なくとも１つの保持装置は、前記フレームに接続され、前記ベルト支持装置を保持するように構成されている。これにより、２つ以上のベルトコンベヤを隣り合わせに配置できる。
【図面の簡単な説明】
【００１７】
【図１】図１は、従来のベルトコンベヤの一部を概略的に示す斜視図である。
【図２】図２は、本発明の一実施形態による３つのベルトコンベヤを概略的に示す側断面である。３つのベルトコンベヤは、本発明の一実施形態によるベルトコンベヤシステムを提供するために並んで配置され、ベルトコンベヤシステムは、商品をベルトコンベヤシステムに送る商品提供システムからの出口の近くに設けられることが示されている。
【図３】図３は、本発明の一実施形態による３つのベルトコンベヤを概略的に示す側断面図である。３つのベルトコンベヤは、本発明の一実施形態によるベルトコンベヤシステムを提供するために並んで配置されている。
【図４】図４は、図３に示すベルトコンベヤの一部をより詳細に示している。
【図５】図５は、図３および４に示すベルトコンベヤの１つの一部を示す斜視切断図である。
【図６】図６は、図３および４に示すベルトコンベヤの１つのコーナーを概略的に示す斜視図である。
【図７】図７は、本発明の一実施形態によるベルトコンベヤシステムを備えたボックステンプレート製造システムを概略的に示している。
【図８】図８は、本発明の一実施形態によるベルトコンベヤの一部を概略的に示す断面図である。
【発明を実施するための形態】
【００１８】
図１は、従来のベルトコンベヤ９０１の一部を概略的に示す斜視図である。ベルトコンベヤ９０１は、２つのプーリー９０５ａ（９０５ｂは図示せず）のまわりを回転するベルト９０３のエンドレスループを備える。ベルトコンベヤ９０１は、上記した２つのプーリー９０５ａを保持するフレーム９０９と、ベルトがベルト支持装置上を摺動できるように２つのプーリーの間でベルトを支持するように構成されたベルト支持装置と、をさらに備える。
【００１９】
より大きな組み合わされたベルトコンベヤを実現するためにこれらの従来のベルトコンベヤの２つを並べて配置すると、上記したように問題が発生し得る。例えば、従来のベルトコンベヤのフレーム９０９およびプーリー９０５ａの部分は、ベルトコンベヤの側面にしばしば突出している。これにより、２つ以上の従来のベルトコンベヤを並べて設けると、個別のベルト間に隙間が生じる。さらに、ベルトに送られたときに商品がベルト方向を横切って搬送される用途では、ベルトの縁部、ベルトコンベヤ間の隙間、またはベルトコンベヤのベルトの下に、商品が引っかかるリスクがある。上述のように、これは、以下で説明するボックステンプレート製造システムのように、商品がベルトコンベヤを横切って前後に搬送される用途ではさらに問題となり得る。
【００２０】
図２は、本発明の一実施形態による３つのベルトコンベヤ１を概略的に示す側断面図である。３つのベルトコンベヤ１は、本発明の一実施形態によるベルトコンベヤシステム１０１を提供するために並んで配置され、ベルトコンベヤシステム１０１は、商品をベルトコンベヤシステム１０１に送る商品提供システムからの出口１０２の近くに設けられる。
【００２１】
各ベルトコンベヤ１は、ベルトコンベヤ１に備えられた２つのプーリー５ａ，５ｂ（この図ではブロックとして詳細に示されていない）のまわりを回転するベルト３のエンドレスループを備えている。ベルト３のさまざまな部分が運転中に商品を搬送するための上面７を構成する。ベルトコンベヤ１は、上記した２つのプーリー５ａ，５ｂを保持するフレーム９と、ベルト支持装置１１上でベルト３が摺動できるように２つのプーリー間でベルトを支持するように構成されたベルト支持装置１１（この図ではプーリー５ａ，５ｂと一緒にブロックとして詳細に示されていない）をさらに備えている。ベルト３は、ベルトの長さに沿った実質的に平らな中央部１３と、中央部１３の両側に設けられた２つの縁部領域１３ａ，１３ｂと、を備える。本発明によれば、少なくとも、上記した少なくとも１つの縁部領域１３ａ，１３ｂがベルトの上面７の一部を構成するときに、上記した縁部領域１３ａ、１３ｂの少なくとも１つが、エンドレスループにおけるベルトの反対部分に向かって傾斜する。図２に示す実施形態では、２つの縁部領域１３ａ、１３ｂの両方が、エンドレスループにおけるベルトの反対部分に向かって傾斜している。言い換えれば、ベルト３の外側自由縁部の少なくとも１つは、ベルト３の中央部１３よりも低い高さで、ベルトコンベヤが設けられている表面の近くに設けられている。傾斜した縁部領域という用語は、本説明および特許請求の範囲を通して多く使用され、角度がついた、面取りされた、または丸みを帯びた縁部領域も含むことを意図する。ベルト３の縁部領域１３ａ、１３ｂは、ベルトコンベヤの一部によって、所望の形状、例えば面取りまたは丸みを帯びて支持され得る。本発明の一実施形態では、ベルト３の上記した縁部領域１３ａ、１３ｂの少なくとも１つは、少なくとも、少なくとも１つの縁部領域１３ａ，１３ｂがベルトの上面７を構成するときに、ベルトコンベヤの長辺１７ａ、１７ｂに沿ってベルト３の丸みを帯びた縁部１５ａ，１５ｂを形成する。
【００２２】
３つのベルトコンベヤ１のベルト３は一緒になって、ベルトコンベヤシステムの組み合わされた上面１０３を提供する。
【００２３】
図３は、本発明の一実施形態による３つのベルトコンベヤ１を概略的に示す側断面図である。３つのベルトコンベヤ１は、本発明の一実施形態によるベルトコンベヤシステム１０１を提供するために並んで配置されている。図４は、図３に示すベルトコンベヤ１の一部をより詳細に示している。図４において多くの部分には同じ番号が付されているが、必ずしも正確に同一であるとは限らない。図２はより一般的であり、図３および図４は、本発明の特定の実施形態の詳細を示している。
【００２４】
図４では、ベルトコンベヤ１の一端のプーリー５ａと、例えばベルト３を支持するための２つのプーリー５ａ，５ｂ間の実質的に全距離に設けられたプレートまたはローラーである支持装置１１と、が見られる。支持装置１１は、商品が乗るためにベルトが幾分平らな上面を維持することを保証する目的に役立つ。騒音、滑走摩擦損失、および摩耗を制限するために、プレートは、一例として木材、金属、またはプラスチックの低摩擦表面で通常作成される。さらに低い摩擦が望まれるときには、代わりにローラーのセットが使用され得る。
【００２５】
ベルトコンベヤ１は、ベルトコンベヤ１の少なくとも１つの長辺１７ａ、１７ｂ（図７に見られる）に部分的に沿って設けられた少なくとも１つの保持装置２１ａ、２１ｂをさらに備える。上記した少なくとも１つの保持装置２１ａ，２１ｂは、フレーム９に接続されてベルト支持システム１１を保持するように構成される。図３および図４に示す本発明の実施形態では、ベルトコンベヤ１の各側に１つずつ、２つの保持装置２１ａ、２１ｂが設けられている。保持装置２１ａ、２１ｂは、例として、曲げられた板金プレートまたは押し出しアルミニウム梁として提供され得る。それらは、ベルトコンベヤの長さに沿って、ベルトコンベヤの両側に１つずつ提供され得る。この実施形態では、保持装置２１ａ、２１ｂは、ベルト支持装置１１とは異なる高さで上記したベルト支持装置１１の外側の上記した少なくとも１つの縁部領域１３ａ、１３ｂを支持するように構成され、これによりベルト３の傾斜縁部を提供する。保持装置２１ａ、２１ｂは、ベルト支持装置１１に接続されてベルト支持装置１１を保持するように構成された第１部分２３ａ、２３ｂを備える。保持装置の第１部分２３ａ、２３ｂは、この実施形態では、縁部領域１３ａ，１３ｂがベルトの上面７を構成するときに、上記したベルト支持装置１１の外側のベルトの縁部領域１３ａ，１３ｂを支持するように構成されている。別の実施形態では、代わりに、ベルト支持装置１１自体が、縁部領域１３ａ、１３ｂを支持するように設計され得る。そのような実施形態の１つを図８に示し、以下でさらに説明する。図３および図４に示す実施形態では、保持装置２１ａ、２１ｂの第１部分２３ａ、２３ｂは、ベルト支持装置１１よりも低い高さに設けられ、これにより、ベルト支持装置によって支持されたベルト３の中央部１３の高さよりも低い高さにベルト３の縁部領域１３ａ，１３ｂを支持する。ここでの低い高さとは、図中の方向であり、ベルトコンベヤ１が立っている表面に近いことを指す。これにより、縁部領域１３ａ、１３ｂは傾斜する。保持装置２１ａ、２１ｂは、フレーム９および第１部分２３ａ、２３ｂに接続された第２部分２５ａ、２５ｂをさらに備える。この実施形態では、第２の部分２５ａ、２５は、縁部領域１３，１３ｂがベルト３の上面７の一部ではないときに縁部領域１３、１３ｂを支持するように構成される。本発明のこの実施形態では、第２の部分２５ａ、２５は、縁部領域１３ａ，１３ｂがベルト３の上面７一部を形成しないベルト３の一部であるときに、つまり、縁部領域１３ａ，１３ｂが遠路レスループにおけるベルトの図中における下側に設けられているときに、縁部領域１３ａ，１３ｂを保持する。
【００２６】
この実施形態では、ベルト３の縁部領域１３ａ、１３ｂはそれぞれ、エンドレスループにおけるベルトの反対側に向かって内向きに延びるベルト位置決め装置１９ａ、１９ｂを備える。これらのベルト位置決め装置１９ａ、１９ｂは、ベルトの厚さの延長であり得、ベルトの全長に沿って提供され得る。素材は、ベルト素材と同じでも別のものでもあり得る。ベルト位置決め装置は、ベルトの内側（エンドレスループを参照）に接着するか、他の手段で設けられ又は取り付けられ得る。この実施形態では、ベルト位置決め装置１９ａ、１９ｂは、ベルトの走行中にベルトをベルト支持装置１１上の所定位置に保持するために、ベルト支持装置１１の幅のすぐ外側に設けられるように構成される。ここで示されるようにベルト支持装置の外側に設けられた２つのベルト位置決め装置１９ａ、１９ｂを使用する代わりに、ベルト３を正しく案内する他の方法が可能である。別の可能性は、例えば、１つ以上のベルト位置決め装置を収容するためのベルト支持装置の凹部の形態で、１つ以上の案内要素を提供することであろう。ベルトを案内するためのさらに別の方法は、中央の直径を拡張したプーリーを設計することである。これにより、ベルトの誤った案内のリスクが制限される。この案内方法では、ベルト位置決め装置１９ａ，１９ｂは必要とされない。
【００２７】
図５は、図３および４に示されたベルトコンベヤ１のうちの１つの一部の斜視切断図である。この図では、保持装置２１ａ，２１ｂの一部、プーリー５ａ，５ｂの一部、ベルト支持装置１１の一部、およびベルト３の一部が見られる。さらに、プーリー５ａ，５ｂが接続されているブロック６が見られる。ブロック６も保持装置２１ａ、２１ｂに取り付けられているが、ベルト３をプーリー５ａ，５ｂのまわりに締め付けるために、保持装置２１ａ，２１ｂに対して移動することができる。ただし、これはオプション機能である。ドラムモーターが使用されない限り、ブロック６はプーリーの回転のためのベアリングと、プーリーを駆動するための接続も含んでもよい。ベルト３は、プーリーの一方または両方によって、またはベルト３に接続された別の駆動手段によって駆動することができる。
【００２８】
図６は、図３および４に示されるようなベルトコンベヤ１のうちの１つのコーナーを概略的に示す斜視図である。ここでは、保持装置２１ａ、２１ｂの一部がベルトコンベヤの長辺１７ａ、１７ｂに沿って設けられる手法が分かる。また、ベルト３の傾斜した縁部領域１３ａ、１３ｂが見られる。
【００２９】
図７は、本発明の一実施形態によるベルトコンベヤシステム１０１を備えるボックステンプレート製造システム２０１を概略的に示す。ベルトコンベヤシステム１０１は、図３および図４に関連して説明したものと同一であり、ここではさらに説明しない。ベルトコンベヤ１の長辺１７ａ、１７ｂが見られ、ベルトコンベヤ１の幅Ｗが示されている。さらに、ベルトコンベヤシステム１０１の組み合わされた上面１０３が見られる。
【００３０】
ベルトコンベヤシステム１０１は、ボックステンプレートがボックステンプレート製造システム２０１から送り出される方向を横断する方向にベルトコンベヤシステム１０１上のボックステンプレートを搬送するために、ボックステンプレート製造システム２０１からの出口２０３に設けられる。上述のように、これらの種類のボックステンプレート製造システムでは、テンプレートへの切断が頻繁にいくつかの方向に提供され、この示されたシステムでは、ベルトコンベヤシステム１０１は、切断を行う間のボックステンプレートのサポートとして使用される。さらに、多くの場合、テンプレートは、切断中に前後に、つまりベルトの移動方向に対して横方向に案内される必要がある。これにより、ボックステンプレートの一部がベルトコンベヤ間またはそれらの縁部に引っ掛かる可能性がある。ただし、この設計では、このリスクは減少している。ベルトコンベヤの傾斜した縁部領域により、テンプレートの一部が引っ掛かる可能性が低くなる。さらに、ベルトコンベヤのこの設計により、それらは互いに非常に接近して提供され、これにより、非駆動セクションまたは敏感な中断のない組み合わされた上面１０３が提供される。
【００３１】
図８は、本発明の一実施形態によるベルトコンベヤ１’の一部を概略的に示す断面図である。この実施形態の多くの部品は、図３および４に関連して前述した実施形態と同一であり、対応する番号を付している。この実施形態では、保持装置２１ａ’，２１ｂ’の第１部分２３ａ’，２３ｂ’が異なる設計をされている。それは、保持装置２１ａ’、２１ｂ’の一体化された部分であってもよいし、保持装置２１ａ’，２１ｂ’に接続された別個の部分であってもよいし、または本発明の別の実施形態では、代わりにベルト支持装置１１’の一部であり得る。しかしながら、これらすべての例において、第１の部分２３ａ’，２３ｂ’は、保持装置２１ａ’，２１ｂ’に接続されている。この実施形態では、例えば凹部の形態の案内要素２６が、ベルト位置決め装置１９ａ、１９ｂの方向制御のために設けられている。
【００３２】
本発明の一実施形態では、保持装置２１ａ’，２１ｂ’の第１部分２３ａ’、２３ｂ’は、ベルト３のベルト位置決め装置１９ａ，１９ｂを収容するための案内要素２６を備える。本発明の別の一実施形態では、支持装置１１’自体は、ベルト３の少なくとも１つのベルト位置決め装置１９ａ、１９ｂを収容して方向制御するための、例えば凹部の形態の少なくとも１つの案内要素２６を備える。ベルト支持装置１１’は、上記した案内要素２６を備える少なくとも１つの外側縁部２３ａ’，２３ｂ’を備える。上記した外側縁部２３ａ’，２３ｂ’は、ベルト支持装置１１’からベルト３の中央部１３の支持とは異なる高さでベルト３の対応する外側縁部１３ａ，１３ｂの支持を提供する。これにより、ベルトの少なくとも１つの傾斜縁部が提供される。
【図１】
0006968180.tif 000002
【図２】
0006968180.tif 000003
【図３】
0006968180.tif 000004
【図４】
0006968180.tif 000005
【図５】
0006968180.tif 000006
【図６】
0006968180.tif 000007
【図７】
0006968180.tif 000008
【図８】
0006968180.tif 000009